(57)【特許請求の範囲】
【請求項１】
ユーザーが装着するウェアラブル端末を特定する端末情報が登録された認証情報を記憶する記憶部と、
ユーザーが装着した前記ウェアラブル端末と通信を行って前記端末情報を取得する通信部と、
前記認証情報に登録されている前記端末情報が前記通信部によって取得された場合に、ユーザー認証を行う認証部と、
ユーザーが装着した前記ウェアラブル端末の装着位置を特定する装着位置特定部と、を具備し、
前記認証情報には、前記端末情報と共に、前記ウェアラブル端末の装着位置を示す装着位置情報が登録されており、
前記認証部は、取得された前記端末情報が前記認証情報に登録され、且つ前記装着位置特定部によって特定された装着位置が前記装着位置情報と一致する場合に、ユーザー認証を行うことを特徴とする認証装置。
【請求項２】
前記通信部は、異なる位置に配置された複数のアンテナを介して前記ウェアラブル端末とそれぞれ通信を行い、
前記装着位置特定部は、前記複数のアンテナ毎の信号強度に基づいて前記ウェアラブル端末の装着位置を特定することを特徴とする請求項１記載の認証装置。
【請求項３】
ユーザーが装着するウェアラブル端末を特定する端末情報が登録された認証情報を記憶する記憶部と、
ユーザーが装着した前記ウェアラブル端末と通信を行って前記端末情報を取得する通信部と、
前記認証情報に登録されている前記端末情報が前記通信部によって取得された場合に、ユーザー認証を行う認証部とを具備し、
前記認証情報には、複数の前記端末情報としてメインの前記ウェアラブル端末の前記端末情報とサブの前記ウェアラブル端末の前記端末情報とが登録されており、
メインの前記ウェアラブル端末には、電源がオフされたサブの前記ウェアラブル端末の前記端末情報を一次的に記憶可能であり、
前記通信部は、メインの前記ウェアラブル端末からサブの前記ウェアラブル端末の前記端末情報を取得し、
前記認証部は、前記認証情報に登録された前記端末情報のいずれもが前記通信部によって取得された場合に、ユーザー認証を行うことを特微とする認証装置。
【発明の詳細な説明】
【技術分野】
【０００１】
本発明は、ユーザーを認証する認証装置に関する。
【背景技術】
【０００２】
複写機や複合機等の電子機器をオフィスにおいて共有で使用する場合、認証装置によってユーザーの認証を行い、使用状況の把握や課金管理を行っている。ユーザーの認証は、識別コード（個人ＩＤやパスワード）の入力によって行う方法が一般的であるが、近年では、スマートフォン等の携帯端末を用いてユーザー認証の利便性を向上させることが提案されている（例えば、特許文献１参照）。特許文献１では、利用時に携帯端末の固有識別情報を認証装置に提供することで、認証を行う鍵として携帯端末を用いている。
【先行技術文献】
【特許文献】
【０００３】
【特許文献１】特開２００５−１３９８２４公報
【発明の概要】
【発明が解決しようとする課題】
【０００４】
しかしながら、従来技術では、携帯端末を不正に入手した第三者もユーザーとして認証されてしまうため、高いセキュリティを確保することができないという問題点があった。
【０００５】
本発明は、かかる点に鑑みてなされたものであり、その目的とするところは、ユーザが装着したウェアラブル端末を用いてユーザー認証を行い、高いセキュリティを確保することができる認証装置を提供することにある。
【課題を解決するための手段】
【０００６】
本発明の認証装置は、ユーザーが装着するウェアラブル端末を特定する端末情報が登録された認証情報を記憶する記憶部と、ユーザーが装着した前記ウェアラブル端末と通信を行って前記端末情報を取得する通信部と、前記認証情報に登録されている前記端末情報が前記通信部によって取得された場合に、ユーザー認証を行う認証部と、ユーザーが装着した前記ウェアラブル端末の装着位置を特定する装着位置特定部と、を具備し、前記認証情報には、前記端末情報と共に、前記ウェアラブル端末の装着位置を示す装着位置情報が登録されており、前記認証部は、取得された前記端末情報が前記認証情報に登録され、且つ前記装着位置特定部によって特定された装着位置が前記装着位置情報と一致する場合に、ユーザー認証を行うことを特徴とする。
さらに、本発明の認証装置において、前記通信部は、異なる位置に配置された複数のアンテナを介して前記ウェアラブル端末とそれぞれ通信を行い、前記装着位置特定部は、前記複数のアンテナ毎の信号強度に基づいて前記ウェアラブル端末の装着位置を特定しても良い。
また、本発明の認証装置は、ユーザーが装着するウェアラブル端末を特定する端末情報が登録された認証情報を記憶する記憶部と、ユーザーが装着した前記ウェアラブル端末と通信を行って前記端末情報を取得する通信部と、前記認証情報に登録されている前記端末情報が前記通信部によって取得された場合に、ユーザー認証を行う認証部とを具備し、前記認証情報には、複数の前記端末情報としてメインの前記ウェアラブル端末の前記端末情報とサブの前記ウェアラブル端末の前記端末情報とが登録されており、メインの前記ウェアラブル端末には、電源がオフされたサブの前記ウェアラブル端末の前記端末情報を一次的に記憶可能であり、前記通信部は、メインの前記ウェアラブル端末からサブの前記ウェアラブル端末の前記端末情報を取得し、前記認証部は、前記認証情報に登録された前記端末情報のいずれもが前記通信部によって取得された場合に、ユーザー認証を行うことを特微とする。
【０００７】
本発明によれば、特別な端末を用意する必要なく、ユーザーが普段身に着けているウェアラブル端末を認証のツールとして用いることができ、高いセキュリティを確保することができるという効果を奏する。
【図面の簡単な説明】
【０００８】
【図１】本発明に係る認証装置の実施の形態の内部構成を示す概略模式断面図である。
【図２】図１に示す画像形成装置の概略構成を示すブロック図である。
【図３】図２に示す記憶部に記憶される認証情報例を示す図である。
【図４】図２に示すアンテナのレイアウト例を示す画像形成装置の正面図である。
【図５】図２に示す装着位置特定部による装着位置特定例を示す説明図である。
【図６】図２に示す認証部による認証動作を説明するフローチャートである。
【図７】図２に示す記憶部に記憶される他の認証情報例を示す図である。
【図８】図２に示す記憶部に記憶される他の認証情報例を示す図である。
【図９】図２に示す記憶部に記憶される他の認証情報例を示す図である。
【発明を実施するための形態】
【０００９】
次に、本発明の実施の形態を、図面を参照して具体的に説明する。
本実施の形態の認証装置は、電子写真方式を利用した複写機や複合機等の画像形成装置１であり、図１を参照すると、原稿読取部２と、原稿給送部３と、本体部４と、操作部６とを備えている。原稿給送部３は、原稿読取部２の上部に配設されていると共に、原稿読取部２は、本体部４の上部に配設され、原稿読取部２と本体部４との間には、排紙空間４０が形成されている。
【００１０】
操作部６には、タッチパネル６１、操作ボタン６２が設けられている。ユーザーは操作部６を操作して指示を入力することで、画像形成装置１の各種の設定を行い、スキャン動作や画像形成等の各種機能を実行させる。タッチパネル６１は、画像形成装置１の状態を示したり、画像形成状況や印刷部数を表示したり、両面印刷や白黒反転等の機能や倍率設定、濃度設定など各種設定を行えるようになっている。操作ボタン６２としては、スキャン動作や画像形成の開始を指示するスタートボタン、スキャン動作や画像形成の中止を指示するストップボタン、画像形成装置１の各種設定をデフォルト状態にする際に使用するリセットボタン等が設けられている。
【００１１】
原稿読取部２は、光源と撮像素子とを備え、ＬＥＤや冷陰極管ランプ等の光源の光を原稿ＭＳの画像面に導くと共に、画像面からの反射光をＣＣＤセンサー等の撮像素子に導くスキャナー２１と、プラテンガラス２２と、原稿読取スリット２３とを備える。スキャナー２１は、モーター２４とプーリー２５との間に架け渡された歯付きベルト２６に固定されており、モーター２４を駆動することで、スキャナー２１がプラテンガラス２２に載置された原稿ＭＳの画像面に沿って移動され、原稿ＭＳの画像面を走査（スキャン）するように構成されている。プラテンガラス２２は、ガラス等の透明部材により構成された原稿台である。原稿読取スリット２３は、原稿給送部３による原稿の搬送方向と直交方向に形成されたスリットである。
【００１２】
プラテンガラス２２に載置された原稿ＭＳを読み取る場合には、スキャナー２１をプラテンガラス２２に沿って副走査方向に移動させながら、プラテンガラス２２に載置された原稿ＭＳを主走査方向の１ライン毎に走査することで画像データを取得し、取得した画像データを本体部４に出力する。また、原稿給送部３により搬送された原稿ＭＳを読み取る場合には、スキャナー２１を原稿読取スリット２３と対向する位置に移動させ、原稿読取スリット２３を介し、原稿給送部３による原稿の搬送動作と同期して原稿ＭＳを読み取って画像データを取得し、取得した画像データを本体部４に出力する。
【００１３】
原稿給送部３は、原稿載置部３１と、原稿排出部３２と、原稿搬送機構３３とを備えている。原稿載置部３１に載置された原稿ＭＳは、原稿搬送機構３３によって、１枚ずつ順に繰り出されて原稿読取スリット２３に対向する位置へ搬送され、その後、原稿排出部３２に排出される。なお、原稿給送部３は、可倒式に構成され、プラテンガラス２２上を開閉するプラテンカバーとして機能し、原稿給送部３を上方に持ち上げて開成すると、プラテンガラス２２の上面を開放させることができる。
【００１４】
本体部４は、電子写真プロセスによって記録紙Ｐに記録を施す記録部５を備えると共に、給紙カセット４１と、給紙ローラー４２と、用紙搬送路４３と、搬送ローラー４４、４５と、排出ローラー４６とを備えている。給紙ローラー４２、搬送ローラー４４、４５及び排出ローラー４６は、記録紙Ｐを搬送する搬送部として機能する。給紙カセット４１に収納された記録紙Ｐは、給紙ローラー４２によって用紙搬送路４３に１枚ずつ繰り出され、搬送ローラー４４によって記録部５に搬送される。そして、記録部５によって記録が施された記録紙Ｐは、排出ローラー４６によって排紙空間４０に排出される。
【００１５】
記録部５は、感光体ドラム５１と、帯電器５２と、光走査部５３と、現像部５４と、転写ローラー５５と、定着部５６と、クリーニング部５７とを備えている。記録部５による画像形成は、まず、帯電器５２により感光体ドラム５１の表面を一様に帯電させ、原稿読取部２で読み取られ画像データに基づいて、光走査部５３によって感光体ドラム５１の表面を走査することで静電潜像を形成させる。次に、感光体ドラム５１の表面に形成された静電潜像を現像部５４によって現像することでトナー像を形成させる。感光体ドラム５１の表面に形成されたトナー像は、給紙カセット４１から繰り出された記録紙Ｐが、感光体ドラム５１と転写ローラー５５とのニップ部を通過する間に記録紙Ｐに転写される。記録紙Ｐに転写されたトナー像は、定着部５６を通過する間に記録紙Ｐに熱定着される。
【００１６】
図２には、画像形成装置１の概略構成を示すブロック図が示されている。上述の原稿読取部２、原稿給送部３、搬送部（給紙ローラー４２、搬送ローラー４４、４５、排出ローラー４６）、記録部５及び操作部６は、制御部７に接続され、制御部７によって動作制御される。また、制御部７には、画像処理部８及び記憶部９が接続されている共に、ユーザーが装着したウェアラブル端末１００と通信を行う通信部１０とが接続されている。
【００１７】
画像処理部８は、画像データに対して所定の画像処理を行う手段であり、例えば、拡大縮小処理や、階調調整、濃度調整等の画像改善処理が行われる。
【００１８】
記憶部９は、半導体メモリーやＨＤＤ（Hard Disk Drive）等の記憶手段であり、原稿読取部２によって原稿を読み取ることで取得された画像データが記憶される。また、記憶部９には、ウェアラブル端末１００を用いてユーザー認証を行うための認証情報９１が記憶されている。認証情報９１は、管理者権限によって登録され、図３（ａ）に示すように、ウェアラブル端末１００を特定する端末情報と、ウェアラブル端末１００毎の装着位置をそれぞれ特定する装着位置情報と、認証によって使用可能な機能を示す使用権限情報とからなる。なお、認証情報９１は、ユーザーと１対１である必要はなく、一人のユーザーに対して複数の認証情報９１を登録することができる。
【００１９】
端末情報は、ウェアラブル端末１００が有している固有番号や、ユーザー等によって付与された端末ＩＤや端末名を用いることができる。また、図３（ｂ）に示すようなＡ：頭、Ｂ：首、Ｃ：左手、Ｄ：右手、Ｅ：胴体、Ｆ：左足、Ｇ：右足のいずれかが装着位置情報として登録可能になっている。本実施の形態では、端末情報をウェアラブル端末１００の端末名とし、図３（ａ）に示す例では、左手：Ｃに装着する端末名が「ａａａａａ」のウェアラブル端末１００と、頭：Ａに装着する端末名が「ｂｂｂｂｂ」のウェアラブル端末１００とが登録されている。なお、ウェアラブル端末１００の形状として、Ａ：頭は、メガネ、帽子、ヘアバンド等が、Ｂ：首は、ネックレス等が、Ｃ：左手及びＤ：右手は、時計、ブレスレット等が、Ｅ：胴体は、ベルト等が、Ｆ：左足及びＧ：右足は、靴、アンクレット等がそれぞれ想定される。端末情報及び装着位置情報は、複数組を登録することが可能に構成され、端末情報及び装着位置情報の登録組数を多くするほどセキュリティが強化される。使用権限情報として、例えば、記憶部９のファイル及びフォルダに対して印刷実行ができるか否かの使用権限を設定することができる。なお、フォルダのプロパティで使用権限の設定した場合は、フォルダ以下のファイルのプロパティには同様の使用権限が設定される。
【００２０】
通信部１０は、Bluetooth（登録商標）等の近距離無線通信によって、９個のアンテナ１１ａａ〜１１ｃｃをそれぞれ介して、ユーザーが装着したウェアラブル端末１００との間で各種データを送受信する機能を有する。また、通信部１０は、ウェアラブル端末１００との通信に際し、９個のアンテナ１１ａａ〜１１ｃｃのそれぞれで通信強度を判定し、判定した通信強度を制御部７に出力する。
【００２１】
９個のアンテナ１１ａａ〜１１ｃｃは、図４に示すように、画像形成装置１の前面側に上下左右に間隔をおいて配置されている。本実施の形態では、アンテナ１１ａａ、１１ａｂ、１１ａｃが上段に、アンテナ１１ｂａ、１１ｂｂ、１１ｂｃが中段に、アンテナ１１ｃａ、１１ｃｂ、１１ｃｃが下段にそれぞれ配置されている。また、ユーザーが画像形成装置１と正対した際に、アンテナ１１ａａ、１１ｂａ、１１ｃａがユーザーの左側に、アンテナ１１ａｂ、１１ｂｂ、１１ｃｂが中央に、アンテナ１１ａｃ、１１ｂｃ、１１ｃｃがユーザーの右側にそれぞれ配置されている。
【００２２】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部６から入力された所定の指示情報に応じて装置全体の制御を行う。また、制御部７は、装着位置特定部７１、認証部７２として機能する。
【００２３】
装着位置特定部７１は、通信部１０から入力される９個のアンテナ１１ａａ〜１１ｃｃのそれぞれの判定結果（通信強度）に基づいて、ユーザーが装着したウェアラブル端末１００の装着位置を特定する。例えば、通信部１０は、９個のアンテナ１１ａａ〜１１ｃｃのそれぞれを介した通信の通信強度を測定し、通信強度を相対的に「強（Ｈ）」、「中（Ｍ）」「弱（Ｌ）」で判定する。この場合、装着位置特定部７１は、通信部１０によって判定された「強（Ｈ）」、「中（Ｍ）」「弱（Ｌ）」の分布によって、ユーザーが装着したウェアラブル端末１００の装着位置を特定することができる。上段中央のアンテナ１１ａｂの判定が「強（Ｈ）」で、アンテナ１１ａｂから遠ざかるほど弱くなる場合には、図５（ａ）、（ｂ）に示すように、装着位置をＡ：頭ｏｒＢ：首と特定することができる。そして、Ａ：頭ｏｒＢ：首とは、中段及び下段の信号強度によって特定することができる。また、中段左側のアンテナ１１ｂａの判定が「強（Ｈ）」で、アンテナ１１ｂａから遠ざかるほど弱くなる場合には、図５（ｃ）に示すように、装着位置をＣ：左手と特定することができる。さらに、中段右側のアンテナ１１ｂｃの判定が「強（Ｈ）」で、アンテナ１１ｂｃから遠ざかるほど弱くなる場合には、図５（ｄ）に示すように、装着位置をＤ：右手と特定することができる。さらに、中段中央のアンテナ１１ｂｂの判定が「強（Ｈ）」で、アンテナ１１ｂｂから遠ざかるほど弱くなる場合には、図５（ｅ）に示すように、装着位置をＥ：胴体と特定することができる。さらに、下段左側のアンテナ１１ｃａの判定が「強（Ｈ）」で、アンテナ１１ｃａから遠ざかるほど弱くなる場合には、図５（ｆ）に示すように、装着位置をＦ：左足と特定することができる。さらに、下段右側のアンテナ１１ｃｃの判定が「強（Ｈ）」で、アンテナ１１ｃｃから遠ざかるほど弱くなる場合には、図５（ｇ）に示すように、装着位置をＧ：右足と特定することができる。
【００２４】
認証部７２は、認証動作が指示されると、通信部１０を用いてウェアラブル端末１００の端末名を端末情報として取得すると共に、装着位置特定部７１によって特定された装着位置を取得する。そして、認証部７２は、取得したウェアラブル端末１００の端末名とその装着位置とを、記憶部９に記憶されている認証情報９１と照合する。この照合は、通信部１０を用いて通信可能なウェアラブル端末１００の全てにおいて行われる。照合の結果、認証情報９１に登録されている端末情報及び装着位置情報と一致すると、認証部７２は、ユーザーを認証してログイン処理を行い、認証情報９１の使用権限情報に基づいて画像形成装置１の使用を許可する。
【００２５】
次に、画像形成装置１におけるウェアラブル端末１００を用いた認証動作について図６を参照して詳細に説明する。
制御部７は、ユーザーによる操作部６からの認証開始指示入力を受け付けると（ステップＡ１）、認証部７２として機能し、通信部１０を用いてウェアラブル端末１００との通信を開始する。そして、認証部７２は、検出されたウェアラブル端末１００の端末名を取得する（ステップＡ２）。また、制御部７は、装着位置特定部７１として機能し、通信部１０から入力される９個のアンテナ１１ａａ〜１１ｃｃのそれぞれの判定結果（通信強度）に基づいて、ステップＡ２で端末名を取得したウェアラブル端末１００の装着位置を特定する（ステップＡ３）。ステップＡ２の端末名を取得と、ステップＡ３の装着位置の特定とは検出された全てのウェアラブル端末１００に対して行われる。
【００２６】
次に、認証部７２は、取得したウェアラブル端末１００の端末名とその装着位置とを、記憶部９に記憶されている認証情報９１と照合し（ステップＡ４）、端末情報として登録されている全てのウェアラブル端末１００が検出され、その装着位置が装着位置情報と一致する認証情報９１があるか否かを判断する（ステップＡ５）。
【００２７】
ステップＡ５で一致する認証情報９１がある場合には、認証部７２は、ユーザーを認証してログイン処理を行い（ステップＡ６）、認証情報９１の使用権限情報に基づいて画像形成装置１の使用を許可し、認証動作を終了させる。
【００２８】
ステップＡ５で一致する認証情報９１がない場合には、認証部７２は、操作部６のタッチパネル６１に認証失敗メッセージを表示させ、認証失敗をユーザーに報知し（ステップＡ７）、認証動作を終了させる。
ユーザーが全てもしくは一部のウェアラブル端末１００の装着を忘れている場合や、全てもしくは一部のウェアラブル端末１００における通信設定がオフになっている場合に、
認証情報９１に端末情報として登録されている全てもしくは一部のウェアラブル端末１００の端末名を取得することができず、認証失敗となる。また、ユーザーがウェアラブル端末１００を登録とは異なる位置に装着している場合に、装着位置特定部７１によって特定されたウェアラブル端末１００の装着位置が認証情報９１に登録されている装着位置情報と一致せず、認証失敗となる。さらに、認証失敗になった理由と解決策とを認証失敗メッセージ（例えば、登録されているウェアラブル端末を認識することができませんでした。通信設定がオフになってないかご確認ください。）として表示させると良い。
【００２９】
なお、装着位置特定部７１による装着位置の特定は、９個のアンテナ１１ａａ〜１１ｃｃのそれぞれを介した通信の通信強度に基づいて行われる。従って、ユーザーの姿勢が画像形成装置１に正対していない場合には、正しい装着位置を特定できない虞がある。従って、ウェアラブル端末１００との通信を開始する際に、認証部７２は、ユーザーに画像形成装置１に正対することを要請するメッセージを操作部６のタッチパネル６１に表示させると良い。また、画像形成装置１にユーザーを撮像するカメラを設け、このカメラの撮像データからユーザーの姿勢を認識するようにしても良い。この場合に、認識した姿勢と、通信の通信強度とに基づいて、正しい装着位置を特定することが可能になる。
【００３０】
また、ユーザーがウェアラブル端末１００の装着位置を間違えた場合や、装着位置特定部７１によって間違った装着位置が特定されてしまった場合には、ステップＡ４の照合によって、認証情報９１の端末情報は一致するものの、全てもしくは一部の装着位置情報が異なってしまう。そこで、認証情報９１の端末情報が一致している場合には、その装着位置をユーザーに問い合わせ、正しい回答入力が行われると、ユーザーを認証してログイン処理を行うようにしても良い。
【００３１】
また、装着位置に拘わらず、複数のウェアラブル端末１００によってユーザー認証を行うように構成しても良い。この場合の認証情報９１ａを図７に示す。認証情報９１ａは、一つのウェアラブル端末１００を特定する端末情報がメインとして登録され、他のウェアラブル端末１００を特定する端末情報がサブとして登録される。認証部７２は、認証情報９１ａにメインとして登録されているウェアラブル端末１００とのみ通信部１０を用いて通信を行い、認証動作を行う。認証部７２は、通信によって検出されたウェアラブル端末１００がメインとして認証情報９１ａに登録されている場合には、メインのウェアラブル端末１００に対して他（サブ）のウェアラブル端末１００の端末情報の収集を依頼する。メインのウェアラブル端末１００は、他のウェアラブル端末１００と通信を行い、他のウェアラブル端末１００の端末情報を収集してまとめて画像形成装置１に送信する。このようにして、認証部７２は、端末情報として登録されているメインとサブの全てのウェアラブル端末１００が検出された場合にユーザーを認証してログイン処理を行う。
【００３２】
なお、メインのウェアラブル端末１００が、他のウェアラブル端末１００の端末情報を収集する際に、他のウェアラブル端末１００がオフになっていると、ユーザー認証に失敗してしまう。そこで、他のウェアラブル端末１００の電源がオフになる直前に、端末情報をメインのウェアラブル端末１００に送信し、メインのウェアラブルに端末１００に電源がオフされた他のウェアラブル端末１００の端末情報を記憶しておくと良い。ただし、メインのウェアラブルに端末１００による他のウェアラブル端末１００の端末情報の記憶は、予め設定された一定時間のみとする。これにより、他のウェアラブル端末１００の電源がオフになっても一定時間の間だけは、問題なくユーザー認証を行うことができる。なお、他のウェアラブル端末１００の電源がオフからオンされた場合には、メインのウェアラブルに端末１００に記憶された端末情報は、削除される。
【００３３】
また、図８に示すように、本人以外の承認者が装着したウェアラブル端末１００とその装着位置とを登録した認証情報９１ｂを記憶部９に記憶させておき、承認者がいないと認証されないようにしても良い。
【００３４】
さらに、図９に示すように、ウェアラブル端末１００の端末情報とその移動ルート（動き）を登録した認証情報９１ｃを記憶部９に記憶させておき、装着位置特定部７１によってウェアラブル端末１００の移動ルートを検出し、両者が一致するとユーザーを認証してログイン処理を行うようにしても良い。図９に示す例では、端末名「ａａａａａ」のウェアラブル端末１００をＣ：左手の位置から、Ｅ：胴体の位置、Ｄ：右手の位置に動かす移動ルートが装着位置情報として登録されている。従って、画像形成装置１に正対したユーザーが端末名「ａａａａａ」のウェアラブル端末１００をＣの位置から、Ｅ：胴体の位置、Ｄ：右手の位置に移動させることでユーザー認証が行われる。
【００３５】
以上説明したように、本実施の形態によれば、ユーザーが装着するウェアラブル端末１００を特定する端末情報が登録された認証情報９１を記憶する記憶部９と、ユーザーが装着したウェアラブル端末１００と通信を行って端末情報を取得する通信部１０と、認証情報９１に登録されている端末情報が通信部１０によって取得された場合に、ユーザー認証を行う認証部７２とを備えている。
この構成により、特別な端末を用意する必要なく、ユーザーが普段身に着けているウェアラブル端末１００を認証のツールとして用いることができ、高いセキュリティを確保することができる。また、複数の暗号を覚える必要がなく、番号等より容易にセキュリティを高くできる。さらに、生体認証は、病気や事故等の影響により誤認識となることがあり、生体認証より認証が確実である。
【００３６】
さらに、本実施の形態によれば、認証情報９１には、端末情報と共に、ウェアラブル端末１００の装着位置を示す装着位置情報が登録されており、ユーザーが装着したウェアラブル端末１００の装着位置を特定する装着位置特定部７１を具備し、認証部７２は、取得された端末情報が認証情報９１に登録され、且つ装着位置特定部７１によって特定された装着位置が装着位置情報と一致する場合に、ユーザー認証を行う。
この構成により、ウェアラブル端末１００を装着している位置による判定により、よりセキュリティを高くできる。
【００３７】
さらに、本実施の形態によれば、通信部１０は、異なる位置に配置された複数のアンテナ１１ａａ〜１１ｃｃを介してウェアラブル端末１００とそれぞれ通信を行い、装着位置特定部７１は、複数のアンテナ１１ａａ〜１１ｃｃ毎の信号強度に基づいてウェアラブル端末１００の装着位置を特定する。
この構成により、ウェアラブル端末１００を装着している位置を簡単な手段によって特定することができる。
【００３８】
さらに、本実施の形態によれば、認証情報９１には、複数の端末情報が登録されており、
認証部７２は、認証情報９１に登録された端末情報のいずれもが通信部１０によって取得された場合に、ユーザー認証を行う。
この構成により、複数のウェアラブル端末１００を認証のツールとして用いることができ、より高いセキュリティを確保することができる。
【００３９】
さらに、本実施の形態によれば、認証情報９１には、メインのウェアラブル端末１００の端末情報とサブのウェアラブル端末１００の端末情報とが登録されており、通信部１０は、メインのウェアラブル端末１００を介してサブのウェアラブル端末１００の端末情報を取得する。
この構成により、メインのウェアラブル端末１００とのみ通信を行うだけで良く、通信トラフィクが軽減される。
【００４０】
さらに、本実施の形態によれば、メインのウェアラブル端末１００には、電源がオフされたサブのウェアラブル端末１００の端末情報を一次的に記憶可能であり、通信部１０は、メインのウェアラブル端末１００からサブのウェアラブル端末１００の端末情報を取得する。
この構成により、サブのウェアラブル端末１００の電源がオフされていても、一定時間内であればユーザー認証を行うことができる。
【００４１】
なお、本発明が上記各実施の形態に限定されず、本発明の技術思想の範囲内において、各実施の形態は適宜変更され得ることは明らかである。
【符号の説明】
【００４２】
１  画像形成装置
２  原稿読取部
３  原稿給送部
４  本体部
５  記録部
６  操作部
７  制御部
８  画像処理部
９  記憶部
１０  通信部
１１ａａ〜１１ｃｃ  アンテナ
２１  スキャナー
２２  プラテンガラス
２３  原稿読取スリット
２４  モーター
２５  プーリー
２６  歯付きベルト
３１  原稿載置部
３２  原稿排出部
３３  原稿搬送機構
４０  排紙空間
４１  給紙カセット
４２  給紙ローラー
４３  用紙搬送路
４４、４５  搬送ローラー
４６  排出ローラー
５１  感光体ドラム
５２  帯電器
５３  光走査部
５４  現像部
５５  転写ローラー
５６  定着部
５７  クリーニング部
６１  タッチパネル
６２  操作ボタン
７１  装着位置特定部
７２  認証部
９１  認証情報
１００  ウェアラブル端末
【図１】
0006380262.tif 000002
【図２】
0006380262.tif 000003
【図３】
0006380262.tif 000004
【図４】
0006380262.tif 000005
【図５】
0006380262.tif 000006
【図６】
0006380262.tif 000007
【図７】
0006380262.tif 000008
【図８】
0006380262.tif 000009
【図９】
0006380262.tif 000010